(57)【特許請求の範囲】
【請求項１】
気密性シートが貼られた矩形状の平板と、
前記平板の周縁を包囲するよう設けられ、外面に剥離テープを有する平板側パッキン材と、
四辺を前記平板の四辺とそれぞれ平行にして前記平板の一方の面に設けられた矩形状の定型性断熱材と、
前記平板側パッキン材との間に間隔をおいて前記定型性断熱材の周縁を包囲するよう設けられ、外面に剥離テープを有する断熱材側パッキン材とを、
有することを特徴とする断熱性パネル。
【請求項２】
２本の竪材と２本の横材とから成る矩形状の枠体を有し、
前記平板は前記枠体の片面に枠体開口を塞ぐよう固定されていることを、
特徴とする請求項１記載の断熱性パネル。
【請求項３】
前記枠体の内部に枠体側断熱材が設けられていることを、
特徴とする請求項２記載の断熱性パネル。
【請求項４】
前記枠体は、各竪材と平行であって前記平板に接して両端が各横材に固定された補強材を有し、
前記平板の前記一方の面に前記補強材の反対側で固定された胴縁材を有し、前記胴縁材は固定部と押さえ部とを一体的に有し、前記固定部は前記平板を介して前記補強材に固定されて前記定型性断熱材の一端に隣接し、前記押さえ部は前記固定部に垂直に設けられて前記平板との間で前記定型性断熱材の一端側側部を覆うことを、
特徴とする請求項２または３記載の断熱性パネル。
【請求項５】
前記定型性断熱材は、前記平板の両側端に対し内側に間隙をあけて設けられていることを、特徴とする請求項１，２，３または４記載の断熱性パネル。
【請求項６】
前記定型性断熱材は、前記平板の周縁に対し内側に間隙をあけて設けられていることを、特徴とする請求項１，２，３または４記載の断熱性パネル。
【請求項７】
格子状に組まれた枠組みを有する木造建築物の壁構造であって、
請求項５記載の断熱性パネルを有し、前記枠組みは側部内面にそれぞれ両端まで伸びるパネル保持溝を有し、前記平板が室内側に前記定型性断熱材が室外側に向けられ、前記平板は両側端が前記平板側パッキン材とともに前記パネル保持溝に嵌合されて枠組み開口を塞ぎ、前記平板側パッキン材および前記断熱材側パッキン材は前記枠組みに密着して前記枠組み開口を塞いでいることを、
特徴とする壁構造。
【請求項８】
格子状に組まれた枠組みを有する木造建築物の壁構造であって、
請求項６記載の断熱性パネルを有し、前記枠組みは両側内面内周に環状のパネル保持溝を有し、前記平板が室内側に前記定型性断熱材が室外側に向けられ、前記平板は周縁が前記平板側パッキン材とともに前記パネル保持溝に嵌合されて枠組み開口を塞ぎ、前記平板側パッキン材および前記断熱材側パッキン材は前記枠組みに密着して前記枠組み開口を塞いでいることを、
特徴とする壁構造。
【発明の詳細な説明】
【０００１】
【発明の属する技術分野】
本発明は、木造建築物で使用される断熱性パネルおよびそれを用いた木造建築物の壁構造に関する。
【０００２】
【従来の技術】
従来のパネル材および木造建築物の壁構造としては、特開平１１−２２０６９号公報に示すものがある。すなわち、枠組みの内側にパネル材保持溝を設け、パネル材がパネル材保持溝に嵌合されて枠組みの開口を塞ぎ、パッキン材がパネル材の周縁と枠組みとの間に気密を保持するようになっている。
【０００３】
【発明が解決しようとする課題】
ところで、近年、クーラーやエアコンの普及により、夏季に壁の気密層の外側で結露する現象が問題となっている。従来の技術では、パネル材の室外側に断熱材を設けた場合、冬季の結露は防止することができるが、夏季の結露には十分な対応がなされていないという問題点があった。
【０００４】
本発明は、このような従来の問題点に着目してなされたもので、冬季の結露のほか夏季の結露をも防止することができる断熱性パネルおよび壁構造を提供することを目的としている。
【０００５】
【課題を解決するための手段】
上記目的を達成するために、請求項１の本発明に係る断熱性パネルは、気密性シートが貼られた矩形状の平板と、前記平板の周縁を包囲するよう設けられ、外面に剥離テープを有する平板側パッキン材と、四辺を前記平板の四辺とそれぞれ平行にして前記平板の一方の面に設けられた矩形状の定型性断熱材と、前記平板側パッキン材との間に間隔をおいて前記定型性断熱材の周縁を包囲するよう設けられ、外面に剥離テープを有する断熱材側パッキン材とを、有することを特徴とする。
【０００６】
請求項２の本発明に係る断熱性パネルは、請求項１記載の断熱性パネルにおいて、２本の竪材と２本の横材とから成る矩形状の枠体を有し、前記平板は前記枠体の片面に枠体開口を塞ぐよう固定されていることを、特徴とする。枠体は、四辺を平板の四辺とそれぞれ平行にして設けられていることが好ましい。枠体は、平板の両側端に対し内側に間隙をあけて設けられていても、平板の周縁に対し内側に間隙をあけて設けられていてもよい。
【０００７】
請求項３の本発明に係る断熱性パネルは、請求項２記載の断熱性パネルにおいて、前記枠体の内部に枠体側断熱材が設けられていることを、特徴とする。
請求項４の本発明に係る断熱性パネルは、請求項２または３記載の断熱性パネルにおいて、前記枠体は、各竪材と平行であって前記平板に接して両端が各横材に固定された補強材を有し、前記平板の前記一方の面に前記補強材の反対側で固定された胴縁材を有し、前記胴縁材は固定部と押さえ部とを一体的に有し、前記固定部は前記平板を介して前記補強材に固定されて前記定型性断熱材の一端に隣接し、前記押さえ部は前記固定部に垂直に設けられて前記平板との間で前記定型性断熱材の一端側側部を覆うことを、特徴とする。この場合、胴縁材により壁材の下地材として壁材の固定を容易にするとともに、定型性断熱材の一端側側部を覆うことにより熱欠損を防止することができる。
【０００８】
請求項５の本発明に係る断熱性パネルは、請求項１，２，３または４記載の断熱性パネルにおいて、前記定型性断熱材は、前記平板の両側端に対し内側に間隙をあけて設けられていることを、特徴とする。枠体を有する場合には、枠体は四辺を平板の四辺とそれぞれ平行にして、平板の両側端に対し内側に間隙をあけて設けられ、定型性断熱材と平板を挟んで外周の位置が一致していることが好ましい。
【０００９】
請求項６の本発明に係る断熱性パネルは、請求項１，２，３または４記載の断熱性パネルにおいて、前記定型性断熱材は、前記平板の周縁に対し内側に間隙をあけて設けられていることを、特徴とする。枠体を有する場合には、枠体は四辺を平板の四辺とそれぞれ平行にして、平板の周縁に対し内側に間隙をあけて設けられ、定型性断熱材と平板を挟んで外周の位置が一致していることが好ましい。
【００１０】
請求項７の本発明に係る壁構造は、格子状に組まれた枠組みを有する木造建築物の壁構造であって、請求項５記載の断熱性パネルを有し、前記枠組みは側部内面にそれぞれ両端まで伸びるパネル保持溝を有し、前記平板が室内側に前記定型性断熱材が室外側に向けられ、前記平板は両側端が前記平板側パッキン材とともに前記パネル保持溝に嵌合されて枠組み開口を塞ぎ、前記平板側パッキン材および前記断熱材側パッキン材は前記枠組みに密着して前記枠組み開口を塞いでいることを、特徴とする。
【００１１】
請求項８の本発明に係る壁構造は、格子状に組まれた枠組みを有する木造建築物の壁構造であって、請求項６記載の断熱性パネルを有し、前記枠組みは両側内面内周に環状のパネル保持溝を有し、前記平板が室内側に前記定型性断熱材が室外側に向けられ、前記平板は周縁が前記平板側パッキン材とともに前記パネル保持溝に嵌合されて枠組み開口を塞ぎ、前記平板側パッキン材および前記断熱材側パッキン材は前記枠組みに密着して前記枠組み開口を塞いでいることを、特徴とする。
【００１２】
断熱性パネルは、壁材のほか、床材または天井材に用いられてもよい。気密性シートは、アルミ箔と合成樹脂とを張り合わせたもの、合成樹脂単体、ゴム、その他、気密性を有する材質であれば、いかなる材質から成ってもよい。剥離テープは、枠組みまたはパネル保持溝に嵌合する際、それらとの滑りを良くし、嵌合を容易にする。平板側パッキン材および断熱材側パッキン材には、例えばＥＰＤＭなどの材質を用いることができる。枠組みは、例えば、土台、根太、胴縁材、柱または梁により格子状に組まれる。なお、本明細書中で、「梁」の概念には、桁を含む。また、「柱」の概念には、支柱、間柱、束を含む。
【００１３】
本発明に係る断熱性パネルは、格子状に組まれた枠組みを有する木造建築物で使用される。断熱性パネルは、平板を室内側に定型性断熱材を室外側に向け、枠組み開口を塞ぐよう枠組みの内側に嵌合される。平板側パッキン材および断熱材側パッキン材は、枠組みの内面に密着させる。平板は、枠組みの内側に嵌合されて枠組みの内側方向への力に対して強度を高める。平板側パッキン材は、平板の周縁で気密性を保つことにより冬季の結露を防止する。断熱材側パッキン材は、定型性断熱材の周縁で気密性を保つことにより夏季の結露を防止する。平板側パッキン材および断熱材側パッキン材は、枠組みから平板および定型性断熱材に振動が伝わるのを防ぐとともに、平板および定型性断熱材と枠組みとの寸法誤差を吸収する。また、断熱材側パッキン材は、定型性断熱材が経年変化などにより収縮したとき、その収縮を吸収して断熱性を確保する。断熱材側パッキン材は、運搬の際、定型性断熱材が割れたり欠けたりしないよう保護する役割も有する。
【００１４】
【発明の実施の形態】
以下、図面に基づき本発明の実施の形態について説明する。
図１〜図３は、本発明の実施の形態を示している。
図３に示すように、木造建築物の壁構造は、土台または根太１、柱２，２および梁３から成る４本の枠材により格子状に組まれた枠組み４を有する。枠組み４は、側部の柱２，２の内面にそれぞれ両端まで伸びるパネル保持溝を有する。
【００１５】
木造建築物の壁構造は、断熱性パネル１０を有する。図１および図２に示すように、断熱性パネル１０は、矩形状の平板１１と、平板側パッキン材１２と、矩形状の定型性断熱材１３と、断熱材側パッキン材１４と、枠体１５と、補強材１６と、胴縁材１７と、枠体側断熱材１８とを有する。平板１１は、両面に気密性シートが張り付けられており、気密性を有する。平板側パッキン材１２および断熱材側パッキン材１４は、幅１０ミリ、厚さ１０ミリ程度の粘着性テープから成り、気密性およびクッション性を有する。平板側パッキン材１２および断熱材側パッキン材１４は、一方の面に剥離テープが張り付けられている。
【００１６】
平板側パッキン材１２は、平板１１の周縁を包囲するよう設けられ、平板１１の周縁に張り付けられている。定型性断熱材１３は、平板１１と同じ高さで、平板１１より短い幅を有する。定型性断熱材１３は、四辺を平板１１の四辺とそれぞれ平行にして平板１１の両側端１１ａに対し内側に間隙をあけて平板１１の一方の面に張り付けられている。
【００１７】
断熱材側パッキン材１４は、定型性断熱材１３の周縁を包囲するよう設けられ、定型性断熱材１３の周縁に張り付けられている。断熱材側パッキン材１４は、平板側パッキン材１２との間に間隔をおくよう平板１１と反対側の端部の周縁に設けられている。これにより、運搬の際に定型性断熱材１４を衝撃から保護しやすくなるとともに、平板側パッキン材１２と断熱材側パッキン材１４との間に空気層が形成され、断熱性を高めることができる。
【００１８】
枠体１５は、矩形状であって、２本の竪材１５ａと２本の横材とから成っている。平板１１は、枠体１５の片面に枠体開口１５ｂを塞ぐよう固定されている。枠体１５は、四辺を平板１１の四辺とそれぞれ平行にして、平板１１の両側端に対し内側に間隙をあけて設けられている。枠体１５は、定型性断熱材１４と平板１１を挟んで外周の位置が一致している。
【００１９】
補強材１６は、各竪材１５ａと平行であって平板１１に接して両端が各横材に固定されている。胴縁材１７は、平板１１の一方の面に補強材１６の反対側で固定されている。胴縁材１７は、固定部１７ａと押さえ部１７ｂとを一体的に有する。固定部１７ａは、平板１１を介して補強材１６に固定されて定型性断熱材１４の一端に隣接している。押さえ部１７ｂは固定部１７ａに垂直に設けられて平板１１との間で定型性断熱材１４の一端側側部１４ａを覆っている。枠体側断熱材１８は、枠体１５の内部に設けられている。この場合、胴縁材１７により壁材の下地材として壁材の固定を容易にするとともに、定型性断熱材１４の一端側側部１４ａを覆うことにより熱欠損を防止することができる。
【００２０】
壁構造では、断熱性パネル１０の平板１１が室内側に定型性断熱材１３が室外側に向けられている。図３に示すように、平板１１は、両側端１１ａが平板側パッキン材１２とともにパネル保持溝に嵌合されて枠組み開口４ａを塞いでいる。平板側パッキン材１２および断熱材側パッキン材１４は枠組み４に密着して枠組み開口４ａを塞いでいる。壁構造を施工する場合には、まず、枠組み４の土台または根太１に柱２，２の一方を固定した状態で、それらに断熱性パネル１０の下部および一方の側部を取り付ける。次に、もう一方の柱２を土台または根太１および断熱性パネル１０の他方の側部に取り付け、最後に梁３を２本の柱２，２および断熱性パネル１０の上部に取り付ける。このように、枠組み４を組み立てる際に、断熱性パネル１０は取り付けられる。
【００２１】
次に作用を説明する。
断熱性パネル１０は、格子状に組まれた枠組み４を有する木造建築物で使用される。木造建築物の壁構造は、複数の断熱性パネル１０を土台または根太１、柱２，２または梁３から成る４本の枠材で囲むことにより施工することができる。断熱性パネル１０は、平板１１を室内側に定型性断熱材１３を室外側に向け、枠組み開口４ａを塞ぐよう枠組み４の内側に嵌合される。平板側パッキン材１２および断熱材側パッキン材１４は、枠組み４の内面に密着させる。平板１１は、枠組み４の内側に嵌合されて枠組み４の内側方向への力に対して強度を高める。
【００２２】
平板側パッキン材１２は、平板１１の周縁で気密性を保つことにより冬季の結露を防止する。断熱材側パッキン材１４は、定型性断熱材１３の周縁で気密性を保つことにより夏季の結露を防止する。平板側パッキン材１２および断熱材側パッキン材１４は、枠組み４から平板１１および定型性断熱材１３に振動が伝わるのを防ぐとともに、平板１１および定型性断熱材１３と枠組み４との寸法誤差を吸収する。断熱材側パッキン材１４は、運搬の際、定型性断熱材１３が割れたり欠けたりしないよう保護する役割も有する。
【００２３】
なお、定型性断熱材１３は、四辺を平板１１の四辺とそれぞれ平行にして平板１１の周縁に対し間隙をあけて平板１１の一方の面に設けられていてもよい。この場合、木造建築物の壁構造は、枠組み４の両側内面内周に環状のパネル保持溝を有するようにし、平板１１の周縁を平板側パッキン材１２とともにパネル保持溝に嵌合する。
【００２４】
【発明の効果】
本発明に係る断熱性パネルおよび壁構造によれば、冬季の結露のほか夏季の結露をも防止することができる。また、運搬の際、定型性断熱材が割れたり欠けたりしないよう保護することができる。さらに、木造建築物の枠組みの内側方向への力に対して強度を高めることができる。
【図面の簡単な説明】
【図１】本発明の実施の形態の断熱性パネルの正面図である。
【図２】図１の断熱性パネルの側面図である。
【図３】本発明の実施の形態の壁構造の正面図である。
【符号の説明】
１  土台または根太
２  柱
３  梁
４  枠組み
１０  断熱性パネル
１１  平板
１２  平板側パッキン材
１３  定型性断熱材
１４  断熱材側パッキン材
１５  枠体
１６  補強材
１７  胴縁材
１８  枠体側断熱材
【図１】
0004121677.tif 000002
【図２】
0004121677.tif 000003
【図３】
0004121677.tif 000004